(57)【要約】【課題】修理、メンテナンス時などに使用される開閉機構を有する紙葉類識別装置において、開閉機構の状態検出の精度向上を図る。【解決手段】本発明に係る紙葉類識別装置は、第１筐体と支点を軸に開閉可能であって、閉状態時に第１筐体との間に紙葉類搬送路を形成する第２筐体と、紙葉類搬送路に設けられた第１光センサと、第１光センサよりも支点に近い位置に設けられた第２光センサと、第１光センサの出力信号と第２光センサの出力信号の差が所定の閾値未満の状態のまま、第１光センサの出力信号と第２光センサの出力信号が遮光状態となったことが判定された場合、第１筐体開信号を出力する制御部と、を備える。【選択図】図２
2015046121.tif 000002
【特許請求の範囲】
【請求項１】
第１筐体と、
前記第１筐体と支点を軸に開閉可能であって、閉状態時に前記第１筐体との間に紙葉類搬送路を形成する第２筐体と、
前記紙葉類搬送路を挟んで対向する位置に設けられた第１発光部と第１受光部を有する第１光センサと、
前記第１光センサよりも前記支点に近い位置に設けられ、前記紙葉類搬送路を挟んで対向する位置に設けられた第２発光部と第２受光部を有する第２光センサと、
前記第１光センサの出力信号と前記第２光センサの出力信号の差が所定の閾値未満の状態のまま、前記第１光センサの出力信号と前記第２光センサの出力信号が遮光状態となったことが判定された場合、第１筐体開信号を出力する制御部と、を備える
紙葉類識別装置。
【請求項２】
前記制御部は、前記第１光センサの出力信号と前記第２光センサの出力信号の差が所定の閾値以上となり、前記第２光センサの出力信号が遮光状態となったことが判定された場合、異常状態を出力する
請求項１に記載の紙葉類識別装置。
【請求項３】
前記第１光センサは、紙葉類の挿入を判定する入口センサである
請求項１または請求項２に記載の紙葉類識別装置。
【請求項４】
前記第２光センサは、紙葉類の光学特性を判定する識別センサである
請求項１から請求項３の何れか１項に記載の紙葉類識別装置。
【発明の詳細な説明】
【技術分野】
【０００１】
本発明は、自動販売機、両替機、ゲーム機などにおいて、紙幣や金券など紙葉類の識別を行う紙葉類識別装置に関する。
【背景技術】
【０００２】
自動販売機など紙幣の取り扱いを可能とする各種機器では、紙幣の真贋判定に基づいて適正な紙幣のみ受け付けることが行われている。紙幣の真贋判定は、各種機器内に設けられた紙幣識別装置を使用し、紙幣の光学的特徴、磁気的特徴等を読み取る各種センサを使用して行われる。紙幣挿入口から挿入された紙幣は、搬送路内を自動搬送され、搬送路に設けられた各種センサを通過することで、各種センサによる走査が行われ、光学的特徴や磁気的特徴が読み取られる。
【０００３】
ところで、このような紙幣識別装置では、紙幣詰まり（ジャム）、修理、清掃など、紙幣搬送路内に対して各種メンテナンスを行うため、紙幣搬送路部分を開閉可能とする機構が設けられている。特許文献１の従来の技術には、紙幣搬送通路内に配置された紙幣の真贋判定用の反射センサを使用し、紙幣識別部の開閉を検出することが開示されている。この特許文献１に開示される紙幣識別装置では、紙幣送り量判定用センサの検出結果を使用して、紙幣識別部の僅かな開き状態を検出することが開示されている。
【先行技術文献】
【特許文献】
【０００４】
【特許文献１】特許第４４０３６７５号公報
【発明の概要】
【発明が解決しようとする課題】
【０００５】
このように従来の紙幣識別装置では、紙幣の真贋判定を行う反射センサ、あるいは、紙幣の送り量を判定するセンサを、メンテナンスなどに使用される開閉機構の状態判定に使用することで、新たなセンサを追加すること無く開閉状態の判定が行われている。
【０００６】
本発明は、メンテナンスなどのために使用される開閉機構を有する紙葉類識別装置において、その開閉状態の誤検出発生の抑制を図ることを目的としている。
【課題を解決するための手段】
【０００７】
以上、説明した各種課題を解決するため本発明に係る紙葉類識別装置は、以下の構成を採用する。
第１筐体と、
前記第１筐体と支点を軸に開閉可能であって、閉状態時に前記第１筐体との間に紙葉類搬送路を形成する第２筐体と、
前記紙葉類搬送路を挟んで対向する位置に設けられた第１発光部と第１受光部を有する第１光センサと、
前記第１光センサよりも前記支点に近い位置に設けられ、前記紙葉類搬送路を挟んで対向する位置に設けられた第２発光部と第２受光部を有する第２光センサと、
前記第１光センサの出力信号と前記第２光センサの出力信号の差が所定の閾値未満の状態のまま、前記第１光センサの出力信号と前記第２光センサの出力信号が遮光状態となったことが判定された場合、第１筐体開信号を出力する制御部と、を備える。
【０００８】
さらに本発明に係る紙葉類識別装置において、
前記制御部は、前記第１光センサの出力信号と前記第２光センサの出力信号の差が所定の閾値以上となり、前記第２光センサの出力信号が遮光状態となったことが判定された場合、異常状態を出力する。
【０００９】
さらに本発明に係る紙葉類識別装置において、
前記第１光センサは、紙葉類の挿入を判定する入口センサである。
【００１０】
さらに本発明に係る紙葉類識別装置において、
前記第２光センサは、紙葉類の光学特性を判定する識別センサである。
【発明の効果】
【００１１】
本発明の紙葉類識別装置によれば、第２筐体をゆっくり開けた場合、あるいは、第１筐体と第２筐体のガタによる受光量変動、あるいは、紙葉類識別装置に厚紙等の異物が挿入された場合などを原因として発生する、第２筐体の状態の誤検出の抑制を図ることが可能となる。
【図面の簡単な説明】
【００１２】
【図１】本発明の実施形態に係る紙幣識別装置の外観斜視図
【図２】本発明の実施形態に係る紙幣識別装置の上部外観斜視図（上部筐体開状態時）
【図３】本発明の実施形態に係る紙幣識別装置の紙幣挿入口付近の拡大図
【図４】本発明の実施形態に係る紙幣識別装置の側断面図（上部筐体閉状態時）
【図５】本発明の実施形態に係る紙幣識別装置の側断面図（上部筐体開状態時）
【図６】本発明の実施形態に係る紙幣識別装置の下部筐体の上面図
【図７】本発明の実施形態に係る紙幣識別装置の制御構成を示すブロック図
【図８】従来の紙幣識別装置における状態検出処理を示すフロー図
【図９】従来の紙幣識別装置における第１光センサの出力信号例
【図１０】従来の紙幣識別装置における第１光センサの出力信号例（誤検出時）
【図１１】本発明の実施形態に係る紙幣識別装置の状態検出処理を示すフロー図
【図１２】本発明の実施形態に係る紙幣識別装置の状態検出処理を示すフロー図
【図１３】本発明の実施形態に係る第１、第２光センサの光学距離を説明する図
【図１４】本発明の実施形態に係る光センサの出力を示す図（上部筐体を開動作時）
【図１５】本発明の実施形態に係る光センサの出力を示す図（異物挿入時）
【発明を実施するための形態】
【００１３】
では、紙葉類識別装置について、真偽判定対象を紙幣とする紙幣識別装置を例にとって説明する。本発明の紙葉類識別装置は、この紙幣識別装置のように識別対象を紙幣とするのみならず、金券、クーポン券、有価証券など各種紙葉類を、その識別対象とすることが可能である。
【００１４】
図１は、本発明の実施形態に係る紙幣識別装置１の外観斜視図である。この紙幣識別装置は、自動販売機、両替機、ゲーム機など、各種機器にユニットとして組み込まれ、紙幣部入口１４から挿入される紙幣を取り込んで真偽判定し、商品やサービス提供のために使用される金額の認識を行う。
【００１５】
この紙幣識別装置１は、下部筐体１２（本発明の「第１筐体」に相当）と、上部筐体１１（本発明の「第２筐体」に相当）、紙幣挿入口１４、紙幣取出口１５を有して構成されている。上部筐体１１は、下部筐体１２に対して、下部筐体１２の奥上部に設けられた支点１３Ｒ、１３Ｌにて開閉可能に構成されている。上部筐体１１を開くことで、紙幣詰まり、各種センサの清掃など、紙幣識別装置１の修理、メンテナンスを行うことが可能であ
る。
【００１６】
図２は、本発明の実施形態に係る紙幣識別装置１の上部外観斜視図であり、上部筐体１１を開状態としたときの状態が示されている。上部筐体１１は、支点１３Ｒ、１３Ｌを中心に開いた状態となっている。紙幣識別装置１内部であって、紙幣挿入口１４の近傍（図２の破線Ａで示す部分）には、紙幣の識別、搬送を行うための各種構成が配置されている。紙幣識別装置１の管理者は、このように上部筐体１１を開状態とすることで、紙幣挿入口１４に続く紙幣搬送路の修理、メンテナンスを行うことが可能である。
【００１７】
図３は、図２に示す紙幣挿入口１４付近（図２の破線Ａで示す部分）の拡大図が示されている。図中、右側に示す矢印は、紙幣を挿入した際の紙幣搬送方向である。この紙幣挿入口１４近傍には、紙幣搬送手段としての搬送ベルト３１Ｒ、３１Ｌが配置されている。また、紙幣に糸などを取り付け、真贋判定実行後の紙幣を紙幣挿入口１４に引き戻す不正行為を防ぐため、６つのシャッター３２が設けられている。このシャッター３２は、紙幣が３２を通過後に、紙幣搬送路内に突出し、紙幣識別装置１内の紙幣が紙幣挿入口１４から外部に取り出されるのを防止する。
【００１８】
紙幣識別装置１には、紙幣の挿入判定、真贋判定、金種判定など各種判定を行うための各種センサが設けられている。図４には、本発明の実施形態に係る紙幣識別装置１の側断面図（上部筐体１１は閉状態）が示されている。図５には、本発明の実施形態に係る紙幣識別装置１の側断面図（上部筐体１１は開状態）が示されている。ここでは、図３に示される紙幣挿入口１４付近の斜視図と併せて、紙幣識別装置１のセンサ構成を説明する。本実施形態の紙幣識別装置１は、第１光センサ２１、第２光センサ２２、磁気センサ２３にて、紙幣に対する各種判定を行うこととしている。
【００１９】
第１光センサ２１は、第１発光部２１ａと第１受光部２１ｂを備えている。本実施形態では、第１発光部２１ａが下部筐体１２側に、第１受光部２１ｂが上部筐体１１側に配置され、上部筐体１１を閉じた状態では、紙幣搬送路を挟んで互いに向き合う位置に配置されている。第１発光部２１ａから照射された光は、第１受光部２１ｂで受光されることとなるが、紙幣搬送路に紙幣が介在した場合、第１受光部２１ｂの受光光に基づいて、紙幣挿入の検出、並びに、挿入された紙幣の光学的特性を検出することが可能である。なお、本実施形態の第１光センサ２１は、第１発光部２１ａを下部筐体１２側に、第１受光部２１ｂを上部筐体１１側に配置しているが、第１発光部２１ａを上部筐体１１側に、第１受光部２１ｂを下部筐体１２側に配置することとしてもよい。
【００２０】
この第１光センサ２１は、紙幣挿入口１４近傍の左右にそれぞれ配置され、挿入される紙幣の幅方向、２箇所の位置について、紙幣の特性などを検出することが可能となっている。この第１光センサ２１は、紙幣搬送路中、他のセンサよりも紙幣挿入口１４に近い側に位置し、紙幣の挿入を検出する入口センサとして機能する。さらに本実施形態では、第１光センサ２１を入口センサとして利用するとともに、真贋判定、金種判定のための紙幣の光学的特性を検出する識別センサとしても利用することとしている。
【００２１】
第２光センサ２２は、紙幣挿入口１４近傍の中央付近に位置し、第１光センサ２１と同様、紙幣搬送路を挟んで互いに向き合う第２発光部２２ａと第２受光部２２ｂを備えて構成されている。この第２光センサ２２は、第１光センサ２１よりも紙幣搬送路中、紙幣搬搬送方向に沿って奥側に配置されている。本実施形態では、この第２光センサ２２を、真贋判定、金種判定のための紙幣の光学的特性を検出する識別センサとしても利用している。搬送ベルト３１Ｒ、３１Ｌによって搬送された紙幣は、この第２光センサ２２によって、幅方向中心位置での光学的特性が検出される。この第２光センサ２２についても、第２発光部２２ａを上部筐体１１側に、第２受光部２２ｂを下部筐体１２側に配置することと
してもよい。
【００２２】
さらに本実施形態では、紙幣幅方向の２箇所に配置された磁気センサ２３が配置されている。磁気センサ２３は、挿入された紙幣の幅方向、２箇所の位置について、紙幣の磁気的特性を検出し、挿入された紙幣の真贋判定、金種判定を行う識別センサとして機能する。
【００２３】
図６には、本発明の実施形態に係る紙幣識別装置１の下部筐体１２の上面図が示されている。紙幣挿入口１４から挿入された紙幣は、搬送ベルト３１Ｒ、３１Ｌの搬送に伴い、第１発光部２１ａを有する第１光センサ２１、第２発光部２２ａを有する第２光センサ２２、磁気センサ２３の順で各種特性などの判定が行われる。
【００２４】
以上、説明したように、本実施形態の紙幣識別装置１は、２つの第１光センサ２１、第２光センサ２２、２つの磁気センサ２３を使用して、紙幣の挿入判定、真贋判定、金種判定など各種判定を行うこととしている。では、このような各種センサを使用した紙幣の判定、並びに挿入された紙幣の搬送、格納について、図４、並びに、図７に示す紙幣識別装置１の制御構成を使用して説明する。
【００２５】
図４に示されるように、上部筐体１１を閉じた状態では、紙幣挿入口１４から紙幣が格納される紙幣収納部４２に面する位置まで紙幣搬送路が形成される。この紙幣搬送路には、駆動プーリ３３Ｒと従動プーリ３４Ｒに巻き掛けられた搬送ベルト３１Ｒ（左側の搬送ベルト３１Ｌも同様の構成を有する）が面している。紙幣挿入口１４から挿入された紙幣は、左右の搬送ベルト３１Ｒ、３１Ｌにて紙幣搬送路内を、その奥行き方向へと搬送される。また、紙幣搬送路には、紙幣収納部４２と対向する位置に紙幣収納機構４１が配置されている。
【００２６】
各種センサにて、真贋判定、金種判定を終えた紙幣は、この紙幣収納機構４１に対向する位置まで搬送された後、紙幣収納機構４１の押圧部４１１にて下方に押圧され、紙幣搬送路から紙幣収納部４２へと格納される。紙幣収納部４２は、プレート４１３と紙幣搬送路の間に形成された空間であり、プレート４１３の下部に設けられた円錐コイルばねによって、収納する紙幣の量に応じた空間を形成することが可能である。紙幣収納部４２に収納された紙幣は、管理者によって紙幣取出口１５から取り出される。
【００２７】
図７には、本発明の実施形態に係る紙幣識別装置１の制御構成を示すブロック図が示されている。紙幣識別装置１は、制御手段としての制御部５０を中心として、前述した各種構成を備えている。制御部５０は、ＣＰＵ、制御のためのプログラムを記憶したＲＯＭ、センサ類の出力をデジタル変換するＤ／Ａ変換部、センサ類からの出力を一時的に記憶するＲＡＭなどを有して構成されている。紙幣識別装置１に設けられたセンサとしては、前述したように第１光センサ２１、第２光センサ２２、磁気センサ２３を有している。
【００２８】
紙幣搬送機構には、駆動プーリ３３を回転駆動させ、搬送ベルト３１Ｒ、３１Ｌにて紙幣を搬送する第１駆動源５１、紙幣収納部４２に紙幣を格納させる紙幣収納機構４１と、不正行為を抑制するため紙幣搬送路に設けられたシャッター３２を動作させる第２駆動源５２を有している。
【００２９】
紙幣挿入口１４から紙幣が挿入されると、制御部５０は、第１光センサ２１にて紙幣の挿入が判定される。制御部５０は、紙幣が挿入されたことを判定すると、第１駆動源５１を駆動開始して、駆動プーリ３３を回転させ、搬送ベルト３１Ｒ、３１Ｌを動作させ、挿入された紙幣を紙幣搬送路内で搬送する。制御部５０は、紙幣の搬送に伴って、第１光センサ２１、第２光センサ２２、磁気センサ２３から出力される信号に基づき、搬送される
紙幣の真贋判定、金種判定が実行される。
【００３０】
真贋判定の結果、真券であることが判定された紙幣は、紙幣搬送路中、紙幣収納機構４１に対向する位置まで搬送される。その後、制御部５０は、第２駆動源５２にて押圧部４１１が下方に移動するように紙幣収納機構４１を動作させ、紙幣を紙幣収納部４２に格納する。その際、第２駆動部５２によって、紙幣収納機構４１と連動して動作するシャッター３２が、紙幣搬送路内に突出することで、紙幣の引き戻しなどの不正行為を防止している。
【００３１】
以上、紙幣識別装置１の紙幣挿入時の動作について説明したが、このような紙幣識別装置１では、管理者による修理、清掃など各種メンテナンスを行う際、紙幣搬送路に詰まった紙幣や異物を取り除く、あるいは、紙幣搬送路上に設置された各種センサや搬送ベルト３１Ｒ、３１Ｌを直接、目視したり触る必要がある。そのため、紙幣識別装置１の上部筐体１１は、支点１３Ｒ、１３Ｌを中心として、下部筐体１２に対して開閉可能としている。このような形態では、上部筐体１１の閉め忘れなどを防ぐため、上部筐体１１が開状態にあるか閉状態にあるかという状態検出を、紙幣識別装置１側で行うことが必要となる。上部筐体１１の状態検出は、支点１３Ｒ、１３Ｌなどに機械的センサを設けて行うことも可能であるが、その場合、新たにセンサの数を増やす必要があり、製造コストが増加する、内部の機構が複雑化するなどの問題がある。
【００３２】
そのため、従来の紙幣識別装置１では、第１光センサ２１、第２光センサ２２など、紙幣搬送路中に配置された光センサを使用して、上部筐体１１の開閉状態の検出を行うこととしていた。このように紙幣の判定を行う光センサを、開閉状態の検出を行うセンサとして兼用することで、製造コストを抑えるとともに、内部構造を簡略化することが可能となっている。
【００３３】
図８には、従来の紙幣識別装置１における状態検出処理を示すフロー図が示されている。この状態検出処理は、上部筐体１１が開状態あるいは閉状態にあるかなど、紙幣識別装置１の各種状態を、第１光センサ２１、第２光センサ２２など出力信号に基づいて検出するための処理である。
【００３４】
この状態検出処理は、紙幣識別装置１の動作中、継続して繰り返し実行される処理である。待機・初期処理（Ｓ２０１）は、紙幣識別装置１が紙幣を受け入れ可能な待機状態に初期化する処理である。この待機状態では、シャッター３２は開状態（紙幣搬送路に突出しない状態）であり、紙幣収納機構４１の押圧部４１１は、初期位置、すなわち、紙幣搬送路を塞がない位置に位置する。
【００３５】
従来の紙幣識別装置１では、第１光センサ２１、第２光センサ２２は所定のサンプリング間隔にて、第１受光部２１ｂ、第２受光部２２ｂで受光した光に基づく信号を出力する。この状態検出処理では、紙幣搬送路内に配置された全ての光センサが前回の出力信号よりもＶ2だけ低下したか否を条件として、上部筐体１１の開状態検出を開始することとし
ている（Ｓ２０２）。図９には、第１光センサ２１の出力信号例が示されている。紙幣識別装置１が待機状態であって、紙幣が挿入されていない状態にあるとき、第１光センサ２１中、第１発光部２１ａから照射された光は、紙幣搬送路を挟んで対向する箇所に位置する第１受光部２１ｂにて受光され、出力信号としての電圧値Ｖ0を出力する。
【００３６】
上部筐体１１が開かれた場合、第１光センサ２１中、第１発光部２１ａから照射された光は、第１受光部２１ｂにて徐々に受光されない状態となり、第１光センサ２１からの出力信号は減衰する。本実施形態では、第１光センサ２１を含む全ての光センサの出力信号が、前回の出力信号から所定の閾値（Ｖ2）以上減衰したことを条件として、上部筐体１
１の開状態検出を開始することとしている。これは、紙幣識別装置１に紙幣を挿入したときには、配置の関係上、第１光センサ２１、第２光センサ２２の順で出力信号が変化するのに対し、上部筐体１１を開状態にするときには、紙幣を挿入するときとは第１光センサ２１、第２光センサ２２は略同時に変化することが考えられるためである。特に、この閾値（Ｖ2）を小さな値としておくことで、第１光センサ２１と第２光センサ２２間の出力
信号の時間差を小さく抑え、上部筐体１１の開状態の検出精度向上が図られる。
【００３７】
第１光センサ２１、第２光センサ２２の出力信号が、前回の出力信号から閾値（Ｖ2）
以上低下した場合（Ｓ２０２：Ｙｅｓ）、さらに第１光センサ２１、第２光センサ２２が遮光状態となったか否かを監視する（Ｓ２０３）。遮光状態とは、発光部から照射された光が受光部にて受光されなくなった状態であり、図９に示す第１光センサ２１の出力信号例では、閾値（Ｖ1）を下回った状態である。Ｓ２０３では、第１光センサ２１、第２光
センサ２２について、遮光状態の判定を行い、全ての光センサが遮光状態となったことを条件（Ｓ２０３：Ｙｅｓ）として、上部筐体１１が開状態であることを判定する。他上部筐体１１が開状態と判定された場合、制御部５０は、紙幣識別装置１が配置されている自動販売機などの各種親装置に対して上部筐体開信号を出力する（Ｓ２０４）。上部筐体開信号を受信した各種親装置では、機能を停止させる、管理者に対して報知するなどの各種処理を実行する。
【００３８】
上部筐体１１が開状態となっている状態では、制御部５０は、第１光センサ２１、第２光センサ２２の出力信号に基づき、上部筐体１１の状態を確認する（Ｓ２０５）。上部筐体１１が閉状態となった場合、具体的には、第１光センサ２１、第２光センサ２２が待機状態の電圧値（第１光センサ２１の場合Ｖ0）に戻った場合、制御部５０は、各種親装置
に対して上部筐体閉信号を出力する（Ｓ２０７）。上部筐体閉信号を受信した各種親装置では、停止させていた機能を再開する、管理者に対する報知を停止するなどの処理を実行する。
【００３９】
この紙幣識別装置１では、状態検出処理として、各種センサの異常状態を検出可能としている。待機・初期処理（Ｓ２０１）を実行した後、制御部５０において、シャッター３２、紙幣収納機構４１の押圧部４１１が待機状態でない場合、あるいは、第２光センサ２２が遮光状態となっている場合（Ｓ２０８〜Ｓ２１０：何れかがＮｏ）は、紙幣識別装置１が有する各種センサに異常が発生していると判定し、センサ異常状態が発生していることを親装置に対して通知する。センサ異常の発生を通知された各種親装置では、機能を停止させる、管理者に対して報知するなどの各種処理を実行する。センサ異常状態において、制御部５０は、各種センサの出力信号、並びに、シャッター３２、押圧部４１１の位置を監視し、各種状態が正常状態になった場合（Ｓ２１４：Ｙｅｓ）、センサ異常状態の解除を親装置に対して通知する（Ｓ２１５）。センサ異常状態の解除が通知された各種親装置では、停止させていた機能を再開する、管理者に対する報知を停止するなどの処理を実行する。
【００４０】
一方、紙幣識別装置１において、異常状態が発生していない場合（Ｓ２０８〜Ｓ２１０：何れもＹｅｓ）には、第１光センサ２１、第２光センサ２２の出力信号を監視し、第１光センサ２１が遮光状態、第２光センサ２２が透過状態となったこと、すなわち、紙幣挿入口１４から紙幣が挿入され、入口センサとしての第１光センサ２１が紙幣の挿入を判定したことを条件として、紙幣に対する識別処理（Ｓ２１２）を開始する。
【００４１】
以上、従来の紙幣識別装置１における状態検出処理について説明したが、従来の状態検出処理では、以下に説明する幾つかの要因に基づき、上部筐体１１の開状態判定において誤検出が生じることがある。
（１）上部筐体１１をゆっくり開けた場合
（２）上部筐体のガタによる受光部側での受光量変動
（３）厚紙等の異物挿入による誤検出
【００４２】
（１）の上部筐体１１をゆっくり開けた場合について説明する。図１０には、上部筐体１１をゆっくり開けた場合の第１光センサ２１の出力信号例を示したものである。上部筐体１１をゆっくり開けた場合、図に示されるように第１光センサ２１からの出力信号は、なだらかに減衰する。そのため、前回の出力信号に対する今回の出力信号の差は、閾値（Ｖ2）以上とならずに、閾値（Ｖ1）を下回る状態（遮蔽状態）となる。この場合、図８の状態検出処理では、上部筐体１１が開かれたにも関わらず、Ｓ２０２、Ｓ２１０にて何れもＮｏと判定され、センサ異常状態と判定されることとなる。
【００４３】
（２）の上部筐体のガタによる受光部側での受光量変動について説明する。上部筐体１１と下部筐体１２を回動可能に接続する支点１３Ｒ、１３Ｌは、製造上の誤差を吸収するなどの事情から、ある程度余裕を持って形成されている。そのため、上部筐体１１と下部筐体１２間には、両者間の位置が変動するガタが発生する。上部筐体１１と下部筐体１２間のガタは、光センサ間の発光部と受光部（第１光センサ２１の場合、第１発光部２１ａと第１受光部２１ｂ間）の位置関係にずれを生じさせ、各光センサの出力信号に変動を生じさせる。出力信号の変動が閾値（Ｖ2）を上回った場合、上部筐体１１を開けていない
にも関わらず、上部筐体１１の開状態検出が開始（Ｓ２０２：Ｙｅｓ）される。上部筐体１１の開状態を精度よく判定するには、閾値（Ｖ2）を小さく設定することが好ましいが
、閾値（Ｖ2）を小さく設定した場合には、この誤検出は顕著となる。
【００４４】
（３）の厚紙等の異物挿入による誤検出について説明する。紙幣挿入口１４に近い位置に、第１光センサ２１、第２光センサ２２を配置した場合、紙幣挿入口１４から厚紙等の異物を挿入するいたずらが行われることが考えられる。紙幣挿入口１４から異物が勢いよく押し込まれた場合、第１光センサ２１、第２光センサ２２の出力信号は一気に低下し、遮光状態として設定された閾値（Ｖ1）を下回ることとなる。この場合、図８の状態検出
処理では、上部筐体１１が開かれていないにも関わらず、Ｓ２０２、Ｓ２０３にて何れもＹｅｓと判定され、上部筐体開信号が出力されることとなる。
【００４５】
本発明に係る紙幣識別装置１は、このような状態検出処理における各種の誤検出抑制を図り、上部筐体１１の開状態検出を精度よく判定することを目的としている。
【００４６】
図１１、図１２には、本発明の実施形態に係る状態検出処理のフロー図が示されている。なお、この状態検出処理を実行する紙幣識別装置１のハードウェア構成は、図１〜図７で説明したものと同じものが使用される。
【００４７】
本発明の実施形態に係る状態検出処理は、紙幣識別装置１の動作中、継続して繰り返し実行される処理である。待機・初期処理（Ｓ１０１）は、紙幣識別装置１が紙幣を受け入れ可能な待機状態に初期化する処理である。この待機状態では、シャッター３２は開状態（紙幣搬送路に突出しない状態）であり、紙幣収納機構４１の押圧部４１１は、初期位置、すなわち、紙幣搬送路を塞がない位置に位置する。
【００４８】
Ｓ１０２では、電位差タイマが０であるか否かが判定される。この電位差タイマとは、紙幣識別装置１の待機状態において、第１光センサ２１と第２光センサ２２の電位差が閾値（Ｖ3）以上あった場合、一定期間、電位差が生じていることを示すタイマである。電
位差タイマが０である場合、電子差有りフラグが０に設定（初期化）される（Ｓ１０３）。次に、第１光センサ２１と第２光センサ２２の出力信号間に、閾値（Ｖ3）以上の電圧
差が生じているか否かが判定される（Ｓ１０４）。
【００４９】
図１３には、上部筐体１１を開いた時の第１光センサ２１、第２光センサ２２の光学距離が示されている。第１光センサ２１と第２光センサ２２について、発光部と受光部の光学距離は、上部筐体１１を開くに従って徐々に大きくなる。図１３に示されるように、支点１３Ｒ、１３Ｌとの位置関係から、第１光センサ２１の光学距離（左側がＡ１、右側がＡ２）は、第２光センサ２２の光学距離Ｂよりも大きくなる。したがって、上部筐体１１を開く場合、第２光センサ２２の受光量に基づく出力信号Ｖ_Ｂは、各第１光センサ２１の
受光量に基づく出力信号（Ｖ_Ａ1、Ｖ_Ａ2）よりも大きくなる。そして、第１光センサ２１と第２光センサ２２の光学距離の差によって、両光センサの出力信号は、閾値（Ｖ3）
未満の差で変動することとなる。
【００５０】
図１４には、本発明の実施形態に係る光センサの出力を示す図（上部筐体１１を開動作した時）が示されている。図中、横軸は時間軸（サンプリング回数）であり、縦軸は電圧値を示したものである。第１光センサ２１の出力信号（２つの第１光センサ２１の平均値）は、第２光センサ２２の出力信号よりも僅かに小さく推移する。第１光センサ２１と第２光センサ２２の電圧差は、０．５０［Ｖ］未満で推移していることが分かる。
【００５１】
図１５には、本発明の実施形態に係る光センサの出力を示す図（厚紙等の異物挿入時）が示されている。図１４の上部筐体１１の開動作時と異なり、第１光センサ２１の出力信号（２つの第１光センサ２１の平均値）と第２光センサ２２の出力信号は、異なるタイミングで減衰を開始する。そのため、第１光センサ２１と第２光センサ２２の電圧差は、両減衰タイミングの中程において大きく上昇していることが分かる。
【００５２】
本実施形態では、上部筐体１１を開く際の、第１光センサ２１と第２光センサ２２の出力信号の変動特性を利用したものとなっている。本実施形態では、第１光センサ２１を２つ使用しているため、２つの第１光センサ２１の出力信号の平均値（Ｖ_Ａ1＋Ｖ_Ａ2）／２を使用している。Ｓ１０４では、Ｖ_Ｂ−（Ｖ_Ａ1＋Ｖ_Ａ2）／２と閾値（Ｖ3）の関係を判定している。上記関係が閾値（Ｖ3）以上となった場合（Ｓ１０４：Ｙｅｓ）は、電
子差有りフラグを「１」に設定する（Ｓ１０５）とともに、電位差タイマをセットする（Ｓ１０６）。セットされた電位差タイマは所定期間を計時するため０になるまでカウントダウンを開始する。なお、２つの第１光センサ２１の出力信号の（Ｖ_Ａ1＋Ｖ_Ａ2）／２に代え、値の大きい第１光センサ２１の出力信号（Ｖ_Ａ1、Ｖ_Ａ2のどちらか）を選択してすることとしてもよい。
【００５３】
待機・初期処理（Ｓ１０１）を実行した後、制御部５０において、シャッター３２、紙幣収納機構４１の押圧部４１１が待機状態でない場合、あるいは、第２光センサ２２が遮光状態となっている場合（Ｓ２０８、Ｓ２０９：何れかがＮｏ）は、紙幣識別装置１が有する各種センサに異常が発生していると判定し、センサ異常状態が発生していることを親装置に対して通知する（Ｓ１１８）。その際、電位差タイマ、電位差有りフラグが設定されている場合には、両者の初期化が行われる（Ｓ１１７）。センサ異常状態が発生した場合の処理については、従来の状態検出処理の場合（Ｓ２１３〜Ｓ２１５）と同様である。
【００５４】
一方、第２光センサ２２が遮光状態（Ｓ１０９：Ｎｏ）であって、第１光センサ２１が遮光状態（Ｓ１１１：Ｙｅｓ）である場合には、電位差有りフラグの確認が行われる。電位差有りフラグが「１」に設定されている場合（Ｓ１１２：Ｙｅｓ）には、電位差タイマが動作している所定期間内に、Ｓ１０４にて第１光センサ２１と第２光センサ２２間の電圧差が閾値（Ｖ3）を超えている、すなわち、上部筐体１１の開動作ではないと判定して
、各種親装置に対してセンサ異常状態を通知する処理（Ｓ１１７〜Ｓ１２０）を実行する。一方、電位差有りフラグが「０」に設定されている場合（Ｓ１１２：Ｎｏ）には、親装置に対して上部筐体開信号を出力する（Ｓ１１３）。この上部筐体開信号の出力に続く処理（Ｓ１１４〜Ｓ１１６）は、従来の状態検出処理の場合（Ｓ２０５〜Ｓ２０７）と同様
である。
【００５５】
このように本実施形態では、第１光センサ２１と第２光センサ２２の出力信号の差が、閾値（Ｖ3）以上とならずに、第１光センサ２１及び第２光センサ２２が共に遮光状態と
なったことを条件として上部筐体開信号を出力することとしている。このような構成を採用することで、（１）〜（３）で説明した従来の上部筐体１１の開状態判定の誤検出要因を抑制し、上部筐体の開状態判定を精度良く検出することが可能となっている。
【００５６】
Ｓ１０９において第２光センサ２２が透過状態であると判定された場合（Ｓ１０９：Ｙｅｓ）、Ｓ１１０にて第１光センサ２１の状態が判定される。第１光センサ２１が遮光状態にあると判定された場合（Ｓ１１０：Ｙｅｓ）、紙幣挿入口１４から紙幣が挿入されたことを判定し、紙幣の識別処理（Ｓ１２２）を開始する。その際、電位差タイマ、電位差有りフラグが設定されている場合には、両者は初期化される（Ｓ１２１）。
【００５７】
以上、紙幣識別装置１を例として説明を行ったが、本発明に係る紙葉類識別装置は、紙葉類として、紙幣のみならず、金券、クーポン券、有価証券など各種紙葉類を識別対象とすることが可能である。
【００５８】
なお、本発明はこれらの実施形態のみに限られるものではなく、それぞれの実施形態の構成を適宜組み合わせて構成した実施形態も本発明の範疇となるものである。
【符号の説明】
【００５９】
１…紙幣識別装置（紙葉類識別装置）
１１…上部筐体
１２…下部筐体
１３…支点
１４…紙幣挿入口
１５…紙幣取出口
２１…第１光センサ
２１ａ…第１発光部
２１ｂ…第１受光部
２２…第２光センサ
２２ａ…第２発光部
２２ｂ…第２受光部
２３…磁気センサ
３１Ｒ、３１Ｌ…搬送ベルト
３２…シャッター
３３…駆動プーリ
３４…従動プーリ
４１…紙幣収納機構
４１１…押圧部
４１２…円錐コイルばね
４１３…プレート
４２…紙幣収納部
５０…制御部
５１…第１駆動源
５２…第２駆動源
【図１】
2015046121.tif 000003
【図２】
2015046121.tif 000004
【図３】
2015046121.tif 000005
【図４】
2015046121.tif 000006
【図５】
2015046121.tif 000007
【図６】
2015046121.tif 000008
【図７】
2015046121.tif 000009
【図８】
2015046121.tif 000010
【図９】
2015046121.tif 000011
【図１０】
2015046121.tif 000012
【図１１】
2015046121.tif 000013
【図１２】
2015046121.tif 000014
【図１３】
2015046121.tif 000015
【図１４】
2015046121.tif 000016
【図１５】
2015046121.tif 000017